(57)【要約】【課題】低コスト化を維持しつつ、省スペース化を図ることができる携帯無線装置を提供すること。【解決手段】送信信号生成部２５４と、送信信号生成部２５４の出力側に接続される増幅部２５５と、増幅部２５５の出力側に接続される第１の分波器２５６と、第１の分波器２５６の出力側に接続される第１のスイッチ部２５７と、第１のスイッチ部２５７に接続される特性インピーダンス部２５８と、第１のスイッチ部２５７の出力側に接続されるパワーアンプ２５９と、パワーアンプ２５９の出力側に接続される第２のスイッチ部２６０と、を備える。【選択図】図５
2008244728.tif 000002
【特許請求の範囲】
【請求項１】
第１の周波数帯と第２の周波数帯とを使用可能な携帯無線端末において、
アンテナと、
前記第１の周波数帯及び前記第２の周波数帯に収まる送信信号を生成する送信信号生成部と、
前記アンテナに接続され、入力される信号を増幅して前記アンテナへ出力する増幅部と、
第１の端子、第２の端子及び第３の端子を有し、前記第３の端子から入力される信号が前記第１の周波数帯に属する場合には当該信号を前記第１の端子に出力し、前記第３の端子から入力される信号が前記第２の周波数帯に属する場合には当該信号を前記第２の端子に出力する第１の分波器と、
所定のインピーダンス値を有し、一方端側が接地される特性インピーダンス手段と、
前記第１の分波器の前記第１の端子及び第２の端子のいずれか一方を択一的に前記増幅部の入力側に電気的に接続されるように切り替えを行うスイッチ手段を含み、
前記第１の分波器の前記第３の端子は、前記送信信号生成部の出力側に接続され、
前記スイッチ手段は、前記第１の分波器の前記第１の端子又は第２の端子のいずれか一方を択一的に選択して前記増幅部の入力側に電気的に接続されるように切り替えを行う際、前記第１の分波器の前記第１の端子と第２の端子のうち、前記増幅部に接続されない側の端子を前記特性インピーダンス手段の他方端側に接続することを特徴とする携帯無線装置。
【請求項２】
第１の周波数帯と第２の周波数帯とを使用可能な携帯無線端末において、
アンテナと、
前記第１の周波数帯及び前記第２の周波数帯に収まる送信信号を生成する送信信号生成部と、
前記アンテナに接続され、入力される信号を増幅して前記アンテナへ出力する増幅部と、
第１の端子、第２の端子及び第３の端子を有し、前記送信信号生成部から前記第１の端子に第１の周波数帯の送信信号が入力された場合にも、前記第２の端子に第２の周波数帯の送信信号が入力された場合にも、いずれの送信信号をも前記第３の端子から出力可能な第１の分波器と、
所定のインピーダンス値を有し、一方端側が接地される特性インピーダンス手段と、
前記第１の分波器の前記第１の端子及び第２の端子のいずれか一方を択一的に前記送信信号生成部の出力側に電気的に接続されるように切り替えを行うスイッチ手段と、を含み、
前記第１の分波器の前記第３の端子は、前記増幅部の入力側に接続され、
前記スイッチ手段は、前記第１の分波器の前記第１の端子又は第２の端子のいずれか一方を択一的に選択して前記送信信号生成部の出力側に電気的に接続されるように切り替えを行う際、前記第１の端子と第２の端子のうち、前記送信信号生成部側の端子を前記特性インピーダンス手段の他方端側に接続することを特徴とする携帯無線装置。
【請求項３】
請求項１又は２記載の携帯無線装置において、
前記アンテナは、前記第１の周波数帯に適した第１のアンテナと、前記第２の周波数帯に適した第２のアンテナとにより構成され、
前記増幅部は、入力された前記送信信号が第１の周波数帯に属する場合は当該送信信号を前記第１のアンテナに出力し、入力された前記送信信号が第２の周波数帯に属する場合は当該送信信号を前記第２のアンテナに出力するように切り換え処理を行うことを特徴とする携帯無線装置。
【請求項４】
請求項３に記載の携帯無線装置において、
前記第１のアンテナ及び第２のアンテナと、前記増幅部との間にはそれぞれ前記第１の周波数帯と前記第２の周波数帯とを分波する第２の分波器が配置されていることを特徴とする携帯無線装置。
【請求項５】
請求項４に記載の携帯無線装置において、
前記第１の周波数帯は、ＣＤＭＡ２０００＿１ｘにおけるＢａｎｄ  Ｃｌａｓｓ０に相当し、前記第２の周波数帯は、ＣＤＭＡ２０００＿１ｘにおけるＢａｎｄ  Ｃｌａｓｓ３に相当することを特徴とする携帯無線装置。
【請求項６】
第１の周波数帯と第２の周波数帯とを使用可能な携帯無線端末において、
アンテナと、
前記アンテナから入力される信号を増幅する増幅部と、
第１の端子、第２の端子及び第３の端子を有し、前記第３の端子から入力される信号が前記第１の周波数帯に属する場合には当該信号を前記第１の端子に出力し、前記第３の端子から入力される信号が前記第２の周波数帯に属する場合には当該信号を前記第２の端子に出力する第１の分波器と、
所定のインピーダンス値を有し、一方端側が接地される特性インピーダンス手段と、
前記第１の分波器の前記第１の端子及び第２の端子のいずれか一方を択一的に前記増幅部の出力側に電気的に接続されるように切り替えを行うスイッチ手段を含み、
前記第１の分波器の前記第３の端子は、前記増幅部の出力側に接続され、
前記スイッチ手段は、前記第１の分波器の前記第１の端子又は第２の端子のいずれか一方を択一的に選択して前記増幅部の出力側に電気的に接続されるように切り替えを行う際、前記第１の分波器の前記第１の端子と第２の端子のうち、前記増幅部に接続されない側の端子を前記特性インピーダンス手段の他方端側に接続することを特徴とする携帯無線装置。
【請求項７】
第１の周波数帯と第２の周波数帯とを使用可能な携帯無線端末において、
アンテナと、
前記第１の周波数帯及び前記第２の周波数帯の受信信号の復調を行う受信信号復調部と、
前記アンテナから入力される受信信号を増幅する増幅部と、
第１の端子、第２の端子及び第３の端子を有し、前記増幅部から前記第１の端子に前記第１の周波数帯の受信信号が入力された場合にも、前記第２の端子に前記第２の周波数帯の受信信号が入力された場合にも、いずれの受信信号をも前記第３の端子から前記受信信号復調部側へ出力可能な第１の分波器と、
所定のインピーダンス値を有し、一方端側が接地される特性インピーダンス手段と、
前記第１の分波器の前記第１の端子及び第２の端子のいずれか一方を択一的に選択して前記増幅部の出力側に電気的に接続されるように切り替えを行うスイッチ手段と、を含み、
前記スイッチ手段は、前記第１の分波器の前記第１の端子又は第２の端子のいずれか一方を択一的に選択して前記増幅部の出力側に電気的に接続されるように切り替えを行う際、前記第１の端子と第２の端子のうち、前記増幅部に接続されない側の端子を前記特性インピーダンス手段の他方端側に接続することを特徴とする携帯無線装置。
【発明の詳細な説明】
【技術分野】
【０００１】
本発明は、他の装置と通信を行う携帯無線装置に関する。
【背景技術】
【０００２】
携帯無線端末は、高機能化している一方で、携帯性を考慮して、小型・軽量化が要望されている。具体的には、例えば、基板上の電子部品点数の削減や、実装面積の高効率化等により小型・軽量化が図られている。また、これらの要求は、送受信系統のブロックに関しても同様である。
【０００３】
ここで、特許文献１には、送信系統及び受信系統において、一部のバンドパスフィルタを共通化する技術が開示されている。
【０００４】
また、一方では、携帯無線端末そのものの台数の増加に伴ってトラフィックが混雑してきており、新たな周波数割り当てが行なわれている。このような、デュアル（あるいはトライ）バンド対応の携帯無線端末も増加してきている。
【０００５】
ここで、特許文献２には、このような複数バンド対応の携帯無線端末において、使用部品点数削減のために、一部の回路の共用化を図ったものが提案されている。
【特許文献１】特開平７−２７３６８２号公報
【特許文献１】特開平６−２６０９６１号公報
【発明の開示】
【発明が解決しようとする課題】
【０００６】
しかしながら、省スペース化のためには、さらなる部品点数の削減が要求されている。特に、複数バンド対応型の場合には、使用する周波数帯域ごとにバンドパスフィルタを個別に用意することが一般的であり、省スペース化の妨げになっている。
【０００７】
本発明は、上述のような課題に鑑みてなされたものであり、その目的の一つは、高機能化を維持しつつ、省スペース化を図ることができる携帯無線装置を提供することを目的とする。
【課題を解決するための手段】
【０００８】
本発明に係る携帯無線装置は、上述の課題を解決するために、第１の周波数帯と第２の周波数帯とを使用可能な携帯無線端末において、アンテナと、前記第１の周波数帯及び前記第２の周波数帯に収まる送信信号を生成する送信信号生成部と、前記アンテナに接続され、入力される信号を増幅して前記アンテナへ出力する増幅部と、第１の端子、第２の端子及び第３の端子を有し、前記第３の端子から入力される信号が前記第１の周波数帯に属する場合には当該信号を前記第１の端子に出力し、前記第３の端子から入力される信号が前記第２の周波数帯に属する場合には当該信号を前記第２の端子に出力する第１の分波器と、所定のインピーダンス値を有し、一方端側が接地される特性インピーダンス手段と、前記第１の分波器の前記第１の端子及び第２の端子のいずれか一方を択一的に前記増幅部の入力側に電気的に接続されるように切り替えを行うスイッチ手段を含み、前記第１の分波器の前記第３の端子は、前記送信信号生成部の出力側に接続され、前記スイッチ手段は、前記第１の分波器の前記第１の端子又は第２の端子のいずれか一方を択一的に選択して前記増幅部の入力側に電気的に接続されるように切り替えを行う際、前記第１の分波器の前記第１の端子と第２の端子のうち、前記増幅部に接続されない側の端子を前記特性インピーダンス手段の他方端側に接続することを特徴とする。
【０００９】
本発明に係る携帯無線装置は、上述の課題を解決するために、第１の周波数帯と第２の周波数帯とを使用可能な携帯無線端末において、アンテナと、前記第１の周波数帯及び前記第２の周波数帯に収まる送信信号を生成する送信信号生成部と、前記アンテナに接続され、入力される信号を増幅して前記アンテナへ出力する増幅部と、第１の端子、第２の端子及び第３の端子を有し、前記送信信号生成部から前記第１の端子に第１の周波数帯の送信信号が入力された場合にも、前記第２の端子に第２の周波数帯の送信信号が入力された場合にも、いずれの送信信号をも前記第３の端子から出力可能な第１の分波器と、所定のインピーダンス値を有し、一方端側が接地される特性インピーダンス手段と、前記第１の分波器の前記第１の端子及び第２の端子のいずれか一方を択一的に前記送信信号生成部の出力側に電気的に接続されるように切り替えを行うスイッチ手段と、を含み、前記第１の分波器の前記第３の端子は、前記増幅部の入力側に接続され、前記スイッチ手段は、前記第１の分波器の前記第１の端子又は第２の端子のいずれか一方を択一的に選択して前記送信信号生成部の出力側に電気的に接続されるように切り替えを行う際、前記第１の端子と第２の端子のうち、前記送信信号生成部側の端子を前記特性インピーダンス手段の他方端側に接続することを特徴とする。
【００１０】
また、携帯無線装置では、前記アンテナは、前記第１の周波数帯に適した第１のアンテナと、前記第２の周波数帯に適した第２のアンテナとにより構成され、前記増幅部は、入力された前記送信信号が第１の周波数帯に属する場合は当該送信信号を前記第１のアンテナに出力し、入力された前記送信信号が第２の周波数帯に属する場合は当該送信信号を前記第２のアンテナに出力するように切り換え処理を行うことが好ましい。
【００１１】
また、携帯無線装置では、前記第１のアンテナ及び第２のアンテナと、前記増幅部との間にはそれぞれ前記第１の周波数帯と前記第２の周波数帯とを分波する第２の分波器が配置されていることが好ましい。
【００１２】
また、携帯無線装置では、前記第１の周波数帯は、ＣＤＭＡ２０００＿１ｘにおけるＢａｎｄ  Ｃｌａｓｓ０に相当し、前記第２の周波数帯は、ＣＤＭＡ２０００＿１ｘにおけるＢａｎｄ  Ｃｌａｓｓ３に相当することが好ましい。
【００１３】
本発明に係る携帯無線装置は、上述の課題を解決するために、第１の周波数帯と第２の周波数帯とを使用可能な携帯無線端末において、アンテナと、前記アンテナから入力される信号を増幅する増幅部と、第１の端子、第２の端子及び第３の端子を有し、前記第３の端子から入力される信号が前記第１の周波数帯に属する場合には当該信号を前記第１の端子に出力し、前記第３の端子から入力される信号が前記第２の周波数帯に属する場合には当該信号を前記第２の端子に出力する第１の分波器と、所定のインピーダンス値を有し、一方端側が接地される特性インピーダンス手段と、前記第１の分波器の前記第１の端子及び第２の端子のいずれか一方を択一的に前記増幅部の出力側に電気的に接続されるように切り替えを行うスイッチ手段を含み、前記第１の分波器の前記第３の端子は、前記増幅部の出力側に接続され、前記スイッチ手段は、前記第１の分波器の前記第１の端子又は第２の端子のいずれか一方を択一的に選択して前記増幅部の出力側に電気的に接続されるように切り替えを行う際、前記第１の分波器の前記第１の端子と第２の端子のうち、前記増幅部に接続されない側の端子を前記特性インピーダンス手段の他方端側に接続することを特徴とする。
【００１４】
本発明に係る携帯無線装置は、上述の課題を解決するために、第１の周波数帯と第２の周波数帯とを使用可能な携帯無線端末において、アンテナと、前記第１の周波数帯及び前記第２の周波数帯の受信信号の復調を行う受信信号復調部と、前記アンテナから入力される受信信号を増幅する増幅部と、第１の端子、第２の端子及び第３の端子を有し、前記増幅部から前記第１の端子に前記第１の周波数帯の受信信号が入力された場合にも、前記第２の端子に前記第２の周波数帯の受信信号が入力された場合にも、いずれの受信信号をも前記第３の端子から前記受信信号復調部側へ出力可能な第１の分波器と、所定のインピーダンス値を有し、一方端側が接地される特性インピーダンス手段と、前記第１の分波器の前記第１の端子及び第２の端子のいずれか一方を択一的に選択して前記増幅部の出力側に電気的に接続されるように切り替えを行うスイッチ手段と、を含み、前記スイッチ手段は、前記第１の分波器の前記第１の端子又は第２の端子のいずれか一方を択一的に選択して前記増幅部の出力側に電気的に接続されるように切り替えを行う際、前記第１の端子と第２の端子のうち、前記増幅部に接続されない側の端子を前記特性インピーダンス手段の他方端側に接続することを特徴とする。
【発明の効果】
【００１５】
本発明によれば、省スペース化を図りつつ、低コスト化も実現可能である。
【発明を実施するための最良の形態】
【００１６】
以下、図面を参照して本発明を実施するための最良の形態を説明する。なお、以下、携帯無線装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１７】
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１８】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１９】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２におけるフロントケース２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００２０】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部（マイク）１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５と、から構成されている。また、マイク１２は、操作部側筐体２の長手方向における連結部４側とは反対の外端部側に配置される。つまり、マイク１２は、携帯電話機１が開状態において一方の外端部側に配置される。
【００２１】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２２】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７及びインターフェース１８は、不使用時において着脱可能な防塵対策用のキャップで覆われている。
【００２３】
操作部側筐体２における他方の側面には、図２（Ｂ）に示すように、一対のサイドキー２０と、撮像時に使用される操作キー２１と、電波の受信角度を調整可能な放送波受信用のアンテナ部２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。なお、アンテナ部２２は、デジタルによる放送波を受信するアンテナである。
【００２４】
操作部側筐体２のリアケース２ｂには、図３に示すように、被写体に光を照射するライト部２３と、被写体を撮像するカメラ部２４と、が露出して配置される。このカメラ部２４とライト部２３とは、操作部側筐体２における連結部４側に配置される。また、操作部側筐体２におけるリアケース２ｂには、詳細は後述するバッテリの収容部にバッテリを装着するための開口部が形成されると共に、該開口部を塞ぐようにバッテリーリッド２５が配置される。
【００２５】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２６】
また、表示部側筐体３は、外面がフロントケース３ａとリアケース３ｂにより構成される。表示部側筐体３におけるフロントケース３ａには、図１に示すように、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２７】
また、表示部側筐体３のリアケース３ｂには、図３に示すように、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２８】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが一つの筐体に配置され連結部を有さない型式（ストレートタイプ）でも良い。
【００２９】
つぎに、図４の機能ブロック図を参照して、携帯電話機１の各機能について説明する。携帯電話機１は、図４に示すように、外部の端末と通信を行う通信部２００と、所定の処理を行う処理部２０１と、を備えている。また、バッテリ９０は、通信部２００と、処理部２０１と、に対して電源を供給している。また、ＣＰＵ２０２は、通信部２００と、処理部２０１と、に対して所定の制御を行う。
【００３０】
つぎに、通信部２００の構成と動作について説明する。通信部２００は、所定の通信方式（例えば、ＣＤＭＡ（Ｃｏｄｅ  Ｄｉｖｉｓｉｏｎ  Ｍｕｌｉｔｉｐｌｅ  Ａｃｃｅｓｓ）２０００＿１×等）に基づいて、基地局を介して他の通信端末装置との間で電話による通信やメールによる通信等を行うアンテナ部８０（メインアンテナ）と、詳細は後述する送信回路２５０と受信回路２５１とにより構成される通信処理部２０３と、を備える。
【００３１】
アンテナ部８０は、例えば、所定の使用周波数帯（例えば、８００ＭＨｚ）で基地局と通信を行う。なお、使用周波数帯は、８００ＭＨｚ以外の周波数帯であっても良い。また、アンテナ部８０は、複数の使用周波数帯に対応できるように構成されていても良い。
【００３２】
通信処理部２０３は、アンテナ部８０によって受信した信号を受信回路２５１により復調処理し、処理後の信号を処理部２０１に供給し、また、処理部２０１から供給された信号を送信回路２５０により変調処理し、アンテナ部８０を介して基地局に送信する。
【００３３】
また、処理部２０１は、操作キー群１１と、マイク１２と、ディスプレイ３０と、音声出力部３１と、所定のデータが格納されているメモリ２０４と、所定の音処理を行う音処理部２０５と、所定の画像処理を行う画像処理部２０６と、被写体を撮像するカメラ部２４と、着信音等が出力されるスピーカ２０７等を備えている。
【００３４】
＜通信部２００の第１の構成＞
ここで、通信部２００の構成と動作について説明する。なお、アンテナ部８０は、第１の周波数帯の信号を送受信する第１のアンテナ部８０Ａと、第２の周波数帯の信号を送受信する第２のアンテナ部８０Ｂとにより構成されているものとする。また、第１の周波数帯は、例えば、ＣＤＭＡ２０００＿１ｘにおけるＢａｎｄ  Ｃｌａｓｓ０に相当し、第２の周波数帯は、例えば、ＣＤＭＡ２０００＿１ｘにおけるＢａｎｄ  Ｃｌａｓｓ３に相当する。
【００３５】
通信部２００は、図５に示すように、送信回路２５０と受信回路２５１とが、第１の分波器２５２と第２の分波器２５３とに接続され、第１の分波器２５２が第１のアンテナ部８０Ａに接続され、第２の分波器２５３が第２のアンテナ部８０Ｂに接続されている。
【００３６】
＜送信回路２５０の構成＞
ここで、送信回路２５０の第１の構成について説明する。送信回路２５０は、図５に示すように、送信信号生成部２５４と、送信信号生成部２５４の出力側に接続される増幅部２５５と、増幅部２５５の出力側に接続される第１のダイプレクサ（ｄｉｐｌｅｘｅｒ）（２分波器あるいはデュプレクサ）２５６と、第１のダイプレクサ２５６の出力側に接続される第１のスイッチ部２５７と、第１のスイッチ部２５７に接続される特性インピーダンス部２５８と、第１のスイッチ部２５７の出力側に接続されるパワーアンプ２５９と、パワーアンプ２５９の出力側に接続される第２のスイッチ部２６０と、を備える。
【００３７】
送信信号生成部２５４は、第１の周波数帯に収まる送信信号と、第２の周波数帯に収まる送信信号とを生成する。
【００３８】
増幅部２５５は、送信信号生成部２５４から供給される送信信号を所定量増幅し、増幅後の送信信号を第１のダイプレクサ２５６に出力する。
【００３９】
第１のダイプレクサ２５６は、例えば、ＢＡＷ（Ｂｕｌｋ  Ａｃｏｕｓｔｉｃ  Ｗａｖｅ）、ＳＡＷ（Ｓｕｒｆａｃｅ  Ａｃｏｕｓｔｉｃ  Ｗａｖｅ）又は誘電体等の高周波フィルタにより構成されており、増幅部２５５から出力される送信信号に基づいて、複数の周波数帯の送信信号を抽出し、抽出後の送信信号を第１のスイッチ部２５７に出力する。第１のダイプレクサ２５６は、第１の端子Ａ１、第２の端子Ａ２及び第３の端子Ａ３を有している。また、第１の端子Ａ１と第２の端子Ａ２は、第１のスイッチ部２５７に接続され、第３の端子Ａ３は、増幅部２５５の出力側に接続されている。
【００４０】
また、第１のダイプレクサ２５６は、第３の端子Ａ３から入力される送信信号の周波数に基づき、当該送信信号が第１の周波数帯に属する場合には当該送信信号を第１の端子Ａ１に出力し、当該送信信号が第２の周波数帯に属する場合には当該送信信号を第２の端子Ａ２に出力する。
【００４１】
第１のスイッチ部２５７は、第１のダイプレクサ２５６から出力される送信信号を切り替えて、パワーアンプ２５９に出力する。第１のスイッチ部２５７は、第１のダイプレクサ２５６の第１の端子Ａ１と相互に接続される第１の端子Ｂ１と、第１のダイプレクサ２５６の第２の端子Ａ２と相互に接続される第２の端子Ｂ２と、パワーアンプ２５９の入力側に相互に接続される第３の端子Ｂ３と、特性インピーダンス部２５８（終端インピーダンス部）の他方端側に選択的に接続される第４の端子Ｂ４及び第５の端子Ｂ５とを有している。
【００４２】
特性インピーダンス部２５８（終端インピーダンス部）は、一方端側が接地されており、他方端側が第１のスイッチ部２５７の第４の端子Ｂ４及び第５の端子Ｂ５に選択的に接続される。また、特性インピーダンス部２５８は、第１のダイプレクサ２５６の未使用の端子（第１の端子Ａ１又は第２の端子Ａ２）を終端するために必要なインピーダンス値を有しており、例えば、５０Ωである。
【００４３】
ここで、第１のスイッチ部２５７の動作について説明する。なお、第１のスイッチ部２５７は、ＣＰＵ２０２の制御にしたがって以下の切り替え（スイッチング）動作を行う。
【００４４】
第１のスイッチ部２５７は、第１のダイプレクサ２５６の第１の端子Ａ１から第１の端子Ｂ１に送信信号が供給された場合、すなわち送信信号が第１の周波数帯に属する場合には、第１の端子Ｂ１と第３の端子Ｂ３とを接続するように切り替え、第１のダイプレクサ２５６から供給された送信信号をパワーアンプ２５９に出力し、また、第１のダイプレクサ２５６の第２の端子Ａ２に接続されている第２の端子Ｂ２と第５の端子Ｂ５とを接続するように切り替え、未使用端子である第２の端子Ａ２を特性インピーダンス部２５８により終端する。
【００４５】
また、第１のスイッチ部２５７は、第１のダイプレクサ２５６の第２の端子Ａ２から第２の端子Ｂ２に送信信号が供給された場合、すなわち送信信号が第２の周波数帯に属する場合には、第２の端子Ｂ２と第３の端子Ｂ３とを接続するように切り替え、第１のダイプレクサ２５６から供給された送信信号をパワーアンプ２５９に出力し、また、第１のダイプレクサ２５６の第１の端子Ａ１に接続されている第１の端子Ｂ１と第４の端子Ｂ４とを接続するように切り替え、未使用端子である第１の端子Ａ１を特性インピーダンス部２５８により終端する。
【００４６】
パワーアンプ２５９は、第１のスイッチ部２５７から出力される送信信号を所定の増幅率で増幅し、増幅後の送信信号を第２のスイッチ部２６０に出力する。
【００４７】
第２のスイッチ部２６０は、例えば、ＳＰＤＴ（Ｓｉｎｇｌｅ  Ｐｏｌｅ  Ｄｏｕｂｌｅ  Ｔｈｒｏｗ）により構成されており、パワーアンプ２５９から出力される送信信号を第１の分波器２５２又は第２の分波器２５３に出力する。第２のスイッチ部２６０は、パワーアンプ２５９の出力側に接続される第１の端子Ｃ１と、第１の分波器２５２の入力側に接続される第２の端子Ｃ２と、第２の分波器２５３の入力側に接続される第３の端子Ｃ３と、を有しており、ＣＰＵ２０２の制御にしたがって切り替え動作を行う。例えば、第２のスイッチ部２６０は、送信信号が第１の周波数帯に属する場合には、第１の端子Ｃ１と第２の端子Ｃ２とが接続されて、第１の分波器２５２に送信信号を出力し、送信信号が第２の周波数帯に属する場合には、第１の端子Ｃ１と第３の端子Ｃ３とが接続されて、第２の分波器２５３に送信信号を出力する。
【００４８】
このようにして、本発明に係る携帯電話機１に備えられる送信回路２５０は、第１のダイプレクサ２５６を使用するので、使用する周波数帯域ごとにバンドパスフィルタを個別に用意する必要がなく、コストの低減及び省スペース化を図ることができる。また、第１のダイプレクサ２５６の未使用の端子を特性インピーダンス部２５８により終端するので、未使用端子の終端条件による特性変化の変動がなく、安定化を図ることができ、また、回路全体の簡素化を図ることができる。
【００４９】
＜受信回路２５１の構成＞
ここで、受信回路２５１の第１の構成について説明する。受信回路２５１は、図５に示すように、第１の分波器２５２と第２の分波器２５３の出力側に接続される第３のスイッチ部２６１と、第３のスイッチ部２６１の出力側に接続されるＬＮＡ（Ｌｏｗ  Ｎｏｉｓｅ  Ａｍｐｌｉｆｉｅｒ）２６２と、ＬＮＡの出力側に接続される第２のダイプレクサ（２分波器あるいはデュプレクサ）２６３と、第２のダイプレクサ２６３の出力側に接続される第４のスイッチ部２６４と、第４のスイッチ部２６４に接続される特性インピーダンス部２６５と、第４のスイッチ部２６４の出力側に接続されるミキサ２６６と、ミキサ２６６の後段側に接続される受信信号復調部２６７と、を備える。
を備える。
【００５０】
第３のスイッチ部２６１は、例えば、ＤＰＳＴ（Ｄｏｕｂｌｅ  Ｐｏｌｅ  Ｓｉｎｇｌｅ  Ｔｈｒｏｗ）により構成されており、第１の分波器２５２又は第２の分波器２５３から供給される受信信号をＬＮＡ２６２に出力する。また、第３のスイッチ部２６１は、ＬＮＡ２６２の入力側に接続される第１の端子Ｄ１と、第１の分波器２５２の出力側に接続される第２の端子Ｄ２と、第２の分波器２５３の出力側に接続される第３の端子Ｄ３と、を有しており、ＣＰＵ２０２の制御にしたがって切り替え動作を行う。例えば、第３のスイッチ部２６１は、受信信号が第１の周波数帯に属する場合には、第１の端子Ｄ１と第２の端子Ｄ２とが接続されて、第１の分波器２５２から供給された受信信号をＬＮＡ２６２に出力し、受信信号が第２の周波数帯に属する場合には、第１の端子Ｄ１と第３の端子Ｄ３とが接続されて、第２の分波器２５３から供給された受信信号をＬＮＡ２６２に出力する。
【００５１】
ＬＮＡ２６２は、第３のスイッチ部２６１から供給された受信信号に対して、ノイズを低減しつつ増幅し、増幅後の受信信号を第２のダイプレクサ２６３に出力する。
【００５２】
第２のダイプレクサ２６３は、例えば、ＢＡＷ（Ｂｕｌｋ  Ａｃｏｕｓｔｉｃ  Ｗａｖｅ）、ＳＡＷ（Ｓｕｒｆａｃｅ  Ａｃｏｕｓｔｉｃ  Ｗａｖｅ）又は誘電体等の高周波フィルタにより構成されており、ＬＮＡ２６２から供給される受信信号に基づいて、複数の周波数帯の受信信号を抽出し、抽出後の受信信号を第４のスイッチ部２６４に出力する。第２のダイプレクサ２６３は、第１の端子Ｅ１、第２の端子Ｅ２及び第３の端子Ｅ３を有している。また、第１の端子Ｅ１と第２の端子Ｅ２は、第４のスイッチ部２６４に接続され、第３の端子Ｅ３は、ＬＮＡ２６２の出力側に接続されている。
【００５３】
また、第２のダイプレクサ２６３は、第３の端子Ｅ３から入力される受信信号の周波数に基づき、当該受信信号が第１の周波数帯に属する場合には当該受信信号を第１の端子Ｅ１に出力し、当該受信信号が第２の周波数帯に属する場合には当該受信信号を第２の端子Ｅ２に出力する。
【００５４】
第４のスイッチ部２６４は、第２のダイプレクサ２６３から供給される受信信号を切り替えて、ミキサ２６６に出力する。第４のスイッチ部２６４は、第２のダイプレクサ２６３の第１の端子Ｅ１と相互に接続される第１の端子Ｆ１と、第２のダイプレクサ２６３の第２の端子Ｅ２と相互に接続される第２の端子Ｆ２と、ミキサ２６６の入力側に相互に接続される第３の端子Ｆ３と、特性インピーダンス部２６５の他方端側に選択的に接続される第４の端子Ｆ４及び第５の端子Ｆ５とを有している。
【００５５】
特性インピーダンス部２６５は、一方端側が接地されており、他方端側が第４のスイッチ部２６４の第４の端子Ｆ４及び第５の端子Ｆ５に選択的に接続される。また、特性インピーダンス部２６５は、第２のダイプレクサ２６３の未使用の端子（第１の端子Ｅ１又は第２の端子Ｅ２）を終端するために必要なインピーダンス値を有しており、例えば、５０Ωである。
受信信号復調部２６７は、ミキサ２６６から出力された第１の周波数帯又は前記第２の周波数帯の受信信号の復調処理を行う。
【００５６】
ここで、第４のスイッチ部２６４の動作について説明する。なお、第４のスイッチ部２６４は、ＣＰＵ２０２の制御にしたがって以下の切り替え（スイッチング）動作を行う。
【００５７】
第４のスイッチ部２６４は、第２のダイプレクサ２６３の第１の端子Ｅ１から第１の端子Ｆ１に受信信号が供給された場合、すなわち受信信号が第１の周波数帯に属する場合には、第１の端子Ｆ１と第３の端子Ｆ３とを接続するように切り替え、第２のダイプレクサ２６３から供給された受信信号をミキサ２６６に出力し、また、第２のダイプレクサ２６３の第２の端子Ｅ２に接続されている第２の端子Ｆ２と第５の端子Ｆ５とを接続するように切り替え、未使用端子である第２の端子Ｅ２を特性インピーダンス部２６５により終端する。
【００５８】
また、第４のスイッチ部２６４は、第２のダイプレクサ２６３の第２の端子Ｅ２から第２の端子Ｆ２に受信信号が供給された場合、すなわち受信信号が第２の周波数帯に属する場合には、第２の端子Ｆ２と第３の端子Ｆ３とを接続するように切り替え、第２のダイプレクサ２６３から供給された受信信号をミキサ２６６に出力し、また、第２のダイプレクサ２６３の第１の端子Ｅ１に接続されている第１の端子Ｆ１と第４の端子Ｆ４とを接続するように切り替え、未使用端子である第１の端子Ｆ１を特性インピーダンス部２６５により終端する。
【００５９】
このようにして、本発明に係る携帯電話機１に備えられる受信回路２５１は、第２のダイプレクサ２６３を使用するので、使用する周波数帯域ごとにバンドパスフィルタを個別に用意する必要がなく、コストの低減及び省スペース化を図ることができる。また、第２のダイプレクサ２６３の未使用の端子を特性インピーダンス部２５８により終端するので、未使用端子の終端条件による特性変化の変動がなく、安定化を図ることができ、また、回路全体の簡素化を図ることができる。
【００６０】
＜通信部２００の第２の構成＞
つぎに、通信部２００の第２の構成について図６を用いて説明する。なお、各構成部の動作は、上述した第１の構成の各構成部と同様である。
【００６１】
送信回路２５０は、図６に示すように、送信信号生成部２５４と、送信信号生成部２５４の出力側に接続される増幅部２５５と、増幅部２５５の出力側に接続される第１のスイッチ部２５７と、第１のスイッチ部２５７に接続される特性インピーダンス部２５８（終端インピーダンス部）と、第１のスイッチ部２５７の出力側に接続される第１のダイプレクサ２５６と、第１のダイプレクサ（２分波器あるいはデュプレクサ）２５６の出力側に接続されるパワーアンプ２５９と、パワーアンプ２５９の出力側に接続される第２のスイッチ部２６０と、を備え、上述した第１の構成の送信回路２５０に比して、第１のダイプレクサ２５６と第１のスイッチ部２５７との配置位置を入れ替えて構成する。
【００６２】
第１のスイッチ部２５７は、増幅部２５５から供給される送信信号を切り替えて、第１のダイプレクサ２５６に出力する。第１のスイッチ部２５７は、第１のダイプレクサ２５６の第１の端子Ａ１と相互に接続される第１の端子Ｂ１と、第１のダイプレクサ２５６の第２の端子Ａ２と相互に接続される第２の端子Ｂ２と、増幅部２５５の出力側に相互に接続される第３の端子Ｂ３と、特性インピーダンス部２５８の他方端側に選択的に接続される第４の端子Ｂ４及び第５の端子Ｂ５とを有している。
【００６３】
第１のダイプレクサ２５６は、第１の端子Ａ１又は第２の端子Ａ２のいずれか一方から入力される送信信号を第３の端子Ａ３を介して、パワーアンプ２５９に出力する。
【００６４】
このようにして、本発明に係る携帯電話機１に備えられる送信回路２５０は、第１のダイプレクサ２５６を使用するので、使用する周波数帯域ごとにバンドパスフィルタを個別に用意する必要がなく、コストの低減及び省スペース化を図ることができる。また、第１のダイプレクサ２５６の未使用の端子を特性インピーダンス部２５８により終端するので、未使用端子の終端条件による特性変化の変動がなく、安定化を図ることができ、また、回路全体の簡素化を図ることができる。
【００６５】
また、受信回路２５１は、図６に示すように、第１の分波器２５２と第２の分波器２５３の出力側に接続される第３のスイッチ部２６１と、第３のスイッチ部２６１の出力側に接続されるＬＮＡ（Ｌｏｗ  Ｎｏｉｓｅ  Ａｍｐｌｉｆｉｅｒ）２６２と、ＬＮＡの出力側に接続される第４のスイッチ部２６４と、第４のスイッチ部２６４に接続される特性インピーダンス部２６５と、第４のスイッチ部２６４の出力側に接続される第２のダイプレクサ（２分波器あるいはデュプレクサ）２６３と、第２のダイプレクサ２６３の出力側に接続されるミキサ２６６と、ミキサ２６６の後段側に接続される受信信号復調部２６７と、を備え、上述した第１の構成の受信回路２５１に比して、第２のダイプレクサ２６３と第４のスイッチ部２６４との配置位置を入れ替えて構成する。
【００６６】
第４のスイッチ部２６４は、ＬＮＡ２６２から供給される受信信号を切り替えて、第２のダイプレクサ２６３に出力する。第４のスイッチ部２６４は、第２のダイプレクサ２６３の第１の端子Ｅ１と相互に接続される第１の端子Ｆ１と、第２のダイプレクサ２６３の第２の端子Ｅ２と相互に接続される第２の端子Ｆ２と、ＬＮＡ２６２の出力側に相互に接続される第３の端子Ｆ３と、特性インピーダンス部２６５の他方端側に選択的に接続される第４の端子Ｆ４及び第５の端子Ｆ５とを有している。
【００６７】
第２のダイプレクサ２６３は、第１の端子Ｅ１又は第２の端子Ｅ２のいずれか一方から入力される受信信号を第３の端子Ｅ３を介して、ミキサ２６６に出力する。
【００６８】
このようにして、本発明に係る携帯電話機１に備えられる受信回路２５１は、第２のダイプレクサ２６３を使用するので、使用する周波数帯域ごとにバンドパスフィルタを個別に用意する必要がなく、コストの低減及び省スペース化を図ることができる。また、第２のダイプレクサ２６３の未使用の端子を特性インピーダンス部２５８により終端するので、未使用端子の終端条件による特性変化の変動がなく、安定化を図ることができ、また、回路全体の簡素化を図ることができる。
【００６９】
＜通信部２００の第３の構成＞
つぎに、通信部２００の第３の構成について図７を用いて説明する。なお、各構成部の動作は、上述した第１の構成の各構成部及び第２の構成の各構成部と同様である。
【００７０】
送信回路２５０は、上述した第１の構成の送信回路２５０と同様に、送信信号生成部２５４と、送信信号生成部２５４の出力側に接続される増幅部２５５と、増幅部２５５の出力側に接続される第１のダイプレクサ（２分波器あるいはデュプレクサ）２５６と、第１のダイプレクサ２５６の出力側に接続される第１のスイッチ部２５７と、第１のスイッチ部２５７に接続される特性インピーダンス部２５８（終端インピーダンス部）と、第１のスイッチ部２５７の出力側に接続されるパワーアンプ２５９と、パワーアンプ２５９の出力側に接続される第２のスイッチ部２６０と、を備える。
【００７１】
また、第１のスイッチ部２５７と、パワーアンプ２５９と、第２のスイッチ部２６０とにより、ＰＡ（パワーアンプ）モジュールを構成する。このように構成することにより、ＰＡモジュールを同一プロセスの半導体で作成することが可能であり、部品点数を減らし、コスト・スペースメリットをだすことが可能となる。
【００７２】
このようにして、本発明に係る携帯電話機１に備えられる送信回路２５０は、第１のダイプレクサ２５６を使用するので、使用する周波数帯域ごとにバンドパスフィルタを個別に用意する必要がなく、コストの低減及び省スペース化を図ることができる。また、第１のダイプレクサ２５６の未使用の端子を特性インピーダンス部２５８により終端するので、未使用端子の終端条件による特性変化の変動がなく、安定化を図ることができ、また、回路全体の簡素化を図ることができる。
【００７３】
また、受信回路２５１は、上述した第２の構成の受信回路２５１と同様に、第１の分波器２５２と第２の分波器２５３の出力側に接続される第３のスイッチ部２６１と、第３のスイッチ部２６１の出力側に接続されるＬＮＡ（Ｌｏｗ  Ｎｏｉｓｅ  Ａｍｐｌｉｆｉｅｒ）２６２と、ＬＮＡの出力側に接続される第４のスイッチ部２６４と、第４のスイッチ部２６４に接続される特性インピーダンス部２６５（終端インピーダンス部）と、第４のスイッチ部２６４の出力側に接続される第２のダイプレクサ（２分波器あるいはデュプレクサ）２６３と、第２のダイプレクサ２６３の出力側に接続されるミキサ２６６と、ミキサ２６６の後段側に接続される受信信号復調部２６７と、を備える。
【００７４】
また、第３のスイッチ部２６１と、ＬＮＡ２６２と、第４のスイッチ部２６４とにより、ＬＮＡモジュールを構成する。このように構成することにより、ＬＮＡモジュールを同一プロセスの半導体で作成することが可能であり、部品点数を減らし、コスト・スペースメリットをだすことが可能となる。
【００７５】
このようにして、本発明に係る携帯電話機１に備えられる受信回路２５１は、第２のダイプレクサ２６３を使用するので、使用する周波数帯域ごとにバンドパスフィルタを個別に用意する必要がなく、コストの低減及び省スペース化を図ることができる。また、第２のダイプレクサ２６３の未使用の端子を特性インピーダンス部２５８により終端するので、未使用端子の終端条件による特性変化の変動がなく、安定化を図ることができ、また、回路全体の簡素化を図ることができる。
【００７６】
また、本発明に係る携帯電話機１は、異なる周波数帯に対応可能であるのにもかかわらず、特別に複雑な制御を要することなく、必要な信号を抽出することが可能な構成となっている。これにより、回路基板上の省スペース化が図られ、筐体の小型化を図ることができる。
【００７７】
なお、本実施例では、第１のダイプレクサ２５６及び第２のダイプレクサ２６３は、周波数の異なる２つの信号を分波する２分波器あるいはデュプレクサにより構成されるものとして説明したが、これに限られず、周波数の異なる３つの信号を分波するトリプレクサ（３分波器）により構成されても良いし、また、周波数の異なる４つ以上の信号を分波する分波器により構成されていても良い。つまり、マルチプレクサであれば良い。このような構成の場合には、送信信号生成部２５４は、３つ以上の異なる周波数帯に収まる送信信号を生成し、また、受信信号復調部２６７は、３つ以上の周波数帯の受信信号の復調処理を行う。
【００７８】
また、本発明は以下のような実施形態においても効果的である。
【００７９】
わが国においては、携帯電話機１において、アナログ方式の時代から独自の周波数割り当てが行なわれていた（デジタルのＣＤＭＡ方式に移行した現在においては、これをＢａｎｄ  Ｃｌａｓｓ３という。）。Ｂａｎｄ  Ｃｌａｓｓ３においては、上り用の周波数帯と下り用の周波数帯とがガード帯域を挟んで規定されており、上り用の周波数帯を高周波数帯に割り当て、下り用の周波数帯を低周波数帯に割り当てている。
【００８０】
しかしながら、海外（特に米国）と比較すると、周波数帯が若干異なるばかりではなく、上り／下りの周波数帯の割り当ても異なっている（海外では、上り用の周波数帯を低周波数帯に割り当て、下り用の周波数帯を高周波数帯に割り当てている）。
【００８１】
ところで、近年において、周波数帯の再分配が行なわれており、これを機会に国内においても、新たに８００ＭＨｚ帯を海外仕様に合わせた周波数帯にし、かつ上り／下りの周波数帯の割り当ての順序も海外仕様に適合させるようなインフラ整備を順次遂行しようとしている。つまり、上り用の周波数帯を低周波数帯側に割り当て、下り用の周波数帯を高周波数帯側に割り当てるようにインフラ整備を遂行している。
【００８２】
また、移行完了には相当の時間を要するため、その過渡期において市場に提供される端末は、移行後の新８００ＭＨｚ帯（Ｂａｎｄ  Ｃｌａｓｓ０）と、移行前の旧８００ＭＨｚ帯（Ｂａｎｄ  Ｃｌａｓｓ３）の双方に適合していることが望ましい。また、図８には、上述した新旧８００ＭＨｚ帯の周波数の割り当ての様子を示す。
【００８３】
図８から分かるように、Ｂａｎｄ  Ｃｌａｓｓ０とＢａｎｄ  Ｃｌａｓｓ３に割り当てた周波数帯が互いに近似し、かつ隣接している。
【００８４】
したがって、本発明を適用することにより、上述したような上り（あるいは下り）の周波数帯が近似し、又は隣接している場合において、本発明を適用することにより、アンプ等を兼用することが可能となるので、低コスト化を図ることができる。
【図面の簡単な説明】
【００８５】
【図１】携帯電話機を開いた状態（第１開状態）における正面図を示す。
【図２】（Ａ）携帯電話機を開いた状態における左側面図を示し、（Ｂ）携帯電話機を開いた状態における右側面図を示す。
【図３】携帯電話機を開いた状態における背面図を示す。
【図４】本発明に係る携帯電話機の機能を示すブロック図である。
【図５】通信部の第１の構成を示すブロック図である。
【図６】通信部の第２の構成を示すブロック図である。
【図７】通信部の第３の構成を示すブロック図である。
【図８】新旧８００ＭＨｚ帯の周波数の割り当てを示す図である。
【符号の説明】
【００８６】
１  携帯電話機
２  操作部側筐体
２ａ、３ａ  フロントケース
２ｂ、３ｂ  リアケース
３  表示部側筐体
４  連結部
１１  操作キー群
１２  マイク
２３  ライト部
２４  カメラ部
３０  ディスプレイ
３１  音声出力部
８０  アンテナ部
２００  通信部
２０１  処理部
２０２  ＣＰＵ
２０３  通信処理部
２０４  メモリ
２０５  音処理部
２０６  画像処理部
２０７  スピーカ
２５０  送信回路
２５１  受信回路
２５２  第１の分波器
２５３  第２の分波器
２５４  送信信号生成部
２５５  増幅部
２５６  第１のダイプレクサ
２５７  第１のスイッチ部
２５８、２６５  特性インピーダンス部
２５９  パワーアンプ
２６０  第２のスイッチ部
２６１  第３のスイッチ部
２６２  ＬＮＡ
２６３  第２のダイプレクサ
２６４  第４のスイッチ部
２６６  ミキサ
２６７  受信信号復調部
【図１】
2008244728.tif 000003
【図２】
2008244728.tif 000004
【図３】
2008244728.tif 000005
【図４】
2008244728.tif 000006
【図５】
2008244728.tif 000007
【図６】
2008244728.tif 000008
【図７】
2008244728.tif 000009
【図８】
2008244728.tif 000010